(57)【要約】【課題】  本考案は、製造コストが廉価であり且つ制御が容易な監視回路により、複数のＬＥＤバーの内の幾つかのＬＥＤバーが不良となり断線した場合に、各ＬＥＤへの電流供給値を下げるか、又は各ＬＥＤへの電流供給を停止することができるＬＥＤ照明装置の提供を目的とする。【解決手段】  本考案に係るＬＥＤ照明装置は、複数のＬＥＤ及び電流保護抵抗を直列に設けたＬＥＤバーを並列に複数個接続し前記ＬＥＤバーの両端にそれぞれ一対の電極端子を設けたＬＥＤ回路と、前記ＬＥＤバーに所定の電力を供給するＬＥＤ制御回路とを有し、前記ＬＥＤ制御回路は、整流回路を介して前記一対の電極端子に接続されそれぞれ所定の電流電圧値の電力を供給する駆動電力供給部と、前記ＬＥＤバーの１個に設けられた前記電流保護抵抗に印加される電流値を電位値に基づいて監視する過電流等監視部から成ることを特徴とする。【選択図】  図３
0003156000.tif 000002
【実用新案登録請求の範囲】
【請求項１】
複数のＬＥＤ及び電流保護抵抗を直列に設けたＬＥＤバーを並列に複数個接続し前記ＬＥＤバーの両端にそれぞれ一対の電極端子を設けたＬＥＤ回路と、
前記ＬＥＤバーに所定の電力を供給するＬＥＤ制御回路とを有し、
前記ＬＥＤ制御回路は、整流回路を介して前記一対の電極端子に接続されそれぞれ所定の電流電圧値の電力を供給する駆動電力供給部と、前記ＬＥＤバーの１個に設けられた前記電流保護抵抗に印加される電流値を電位値に基づいて監視する過電流等監視部から成ること
を特徴とするＬＥＤ照明装置。
【請求項２】
前記過電流等監視部は、１個の前記ＬＥＤバーに設けられた前記ＬＥＤのカソード側であって前記電流保護抵抗の上端側の電位値を監視すること
を特徴とする請求項１に記載のＬＥＤ照明装置。
【請求項３】
前記過電流等監視部は、前記電位値が上昇した時に前記ＬＥＤバーへの電流供給値を下げるか、又は複数の前記ＬＥＤバーへの電流供給を停止するように前記駆動電力供給部を制御すること
を特徴とする請求項１に記載のＬＥＤ照明装置。
【請求項４】
一端を前記ＬＥＤ回路の内部に設けられた前記電流保護抵抗に接続される電流検出端子は、その他端を前記ＬＥＤ回路の外部に設けられた前記過電流等監視部と接続されること
を特徴とする請求項１に記載のＬＥＤ照明装置。
【考案の詳細な説明】
【技術分野】
【０００１】
本考案は、複数個のＬＥＤを直列に接続してＬＥＤバーを形成し、該ＬＥＤバーを並列に複数個接続することにより構成したＬＥＤ照明装置に関する。
【背景技術】
【０００２】
従来、ＬＥＤ照明装置に設けられたＬＥＤの駆動方法は、電源であるＡＣ１００Ｖを全波整流して定電圧制御を行い所定の定電圧を発生させてから一定の電流を生成する定電流回路を設けることにより、ＬＥＤを定電流駆動する構成とするものが多い（例えば、特許文献１参照。）。
【０００３】
この様な構成とするのは、施設内の天井等にＬＥＤ照明装置を多数設置して使用した場合に、複数のＬＥＤを同一電流で駆動した方が、目視により感じる照度のばらつきを抑制することが可能であり、且つ個々のＬＥＤのＶＦ等の個体差に係る調整機能を電源部に設けることによりＬＥＤを実装した基板の温度上昇を抑制できる等の理由によるものである。
【先行技術文献】
【特許文献】
【０００４】
【特許文献１】特開２００８-２７７１８８号公報
【考案の概要】
【考案が解決しようとする課題】
【０００５】
しかしながら、前述の構成の様なＬＥＤ照明装置では、複数のＬＥＤバーの内の幾つかのＬＥＤバーが不良となり断線した場合に、ＬＥＤ照明装置に印加されている定電流が、断線していないＬＥＤバーに分担して印加されてしまう問題点があった。
【０００６】
この様な問題が発生した場合には、断線していないＬＥＤバーに設けられた各ＬＥＤに対して設計値を超えた過大な電流が印加されるため、ＬＥＤの損傷やライフの低下をもたらす。なお、全てのＬＥＤバーの通電状態を個別に監視すれば良いが、全てのＬＥＤバーに対して個別に監視用のモニター線を設けて断線等を常時監視することは、ＬＥＤ照明装置の製造コスト及び制御の煩雑さ等から現実的ではない。
【０００７】
そこで、本考案は前述の技術的な課題に鑑み、製造コストが廉価であり且つ制御が容易な監視回路により、複数のＬＥＤバーの内の幾つかのＬＥＤバーが不良となり断線した場合に、各ＬＥＤへの電流供給値を下げるか、又は各ＬＥＤへの電流供給を停止することができるＬＥＤ照明装置の提供を目的とする。
【課題を解決するための手段】
【０００８】
前述の課題を解決すべく、本考案に係るＬＥＤ照明装置は、複数のＬＥＤ及び電流保護抵抗を直列に設けたＬＥＤバーを並列に複数個接続し前記ＬＥＤバーの両端にそれぞれ一対の電極端子を設けたＬＥＤ回路と、前記ＬＥＤバーに所定の電力を供給するＬＥＤ制御回路とを有し、前記ＬＥＤ制御回路は、整流回路を介して前記一対の電極端子に接続されそれぞれ所定の電流電圧値の電力を供給する駆動電力供給部と、前記ＬＥＤバーの１個に設けられた前記電流保護抵抗に印加される電流値を電位値に基づいて監視する過電流等監視部から成ることを特徴とする。
【考案の効果】
【０００９】
本考案に係るＬＥＤ照明装置によれば、複数のＬＥＤバーの内の幾つかのＬＥＤバーが不良となり断線した場合に、各ＬＥＤバーへの電流供給値を下げるか、又は各ＬＥＤバーへの電流供給を停止することにより、ＬＥＤ照明装置に配設された各ＬＥＤに過大な電流が印加されることを未然に防ぎ、各ＬＥＤの照度を一定に保ち、且つ各ＬＥＤでの発熱を抑えることができる。
【図面の簡単な説明】
【００１０】
【図１】本考案の第１の実施形態のＬＥＤ照明装置に設けられたＬＥＤの配置を示す回路図である。
【図２】本考案の第１の実施形態のＬＥＤ照明装置に設けられたＬＥＤの制御を示す回路図である。
【図３】本考案の第１の実施形態のＬＥＤ照明装置に設けられたＬＥＤに不具合が生じた場合の制御を示す回路図である。
【図４】本考案の第１の実施形態のＬＥＤ照明装置を示す模式図である。
【図５】本考案の第２の実施形態のＬＥＤ照明装置に設けられたＬＥＤの配置を示す回路図である。
【図６】本考案の第２の実施形態のＬＥＤ照明装置を示す模式図である。
【図７】本考案の第３の実施形態のＬＥＤ照明装置に設けられたＬＥＤの配置を示す回路図である。
【考案を実施するための形態】
【００１１】
以下、本考案のＬＥＤ照明装置に係る好適な実施形態について、図面を参照しながら説明する。なお、本考案のＬＥＤ照明装置は、以下の記述に限定されるものではなく、本考案の要旨を逸脱しない範囲において、適宜変更可能である。
【００１２】
［第１の実施形態］
まず、本実施形態のＬＥＤ照明装置８０に設けられたＬＥＤの配置に係る構成について、図１を参照しながら具体的に説明する。なお、図１はＬＥＤ照明装置８０に設けられたＬＥＤの配置に係るＬＥＤ回路１０である。
【００１３】
ＬＥＤ回路１０は、複数のＬＥＤ及び複数の電流保護抵抗を直列に設けたＬＥＤバーを、並列に複数個接続することにより構成される。図１においては、一例として、６個のＬＥＤと２個の電流保護抵抗から成るＬＥＤバーが、ＬＥＤバー１１からＬＥＤバーｎまで並列にｎ個接続されている。なお、図１中では、５個のＬＥＤバーを記している。したがって、ＬＥＤバー１１からＬＥＤバー１５まで並列に接続されている。ここで、ＬＥＤバー１１からＬＥＤバーｎは、同様の構成部材により構成される。具体的には、例えばＬＥＤバー１１は、電流保護抵抗３１、ＬＥＤ２１、ＬＥＤ２２、ＬＥＤ２３、電流保護抵抗３２、ＬＥＤ２４、ＬＥＤ２５、及びＬＥＤ２６の順で直列に接続されることにより、構成されている。なお、ＬＥＤ２１乃至ＬＥＤ２６は、それぞれ白色光を発する発光ダイオード(ＬＥＤ：Ｌｉｇｈｔ Ｅｍｉｔｔｉｎｇ Ｄｉｏｄｅ)である。この様なＬＥＤには、例えば、シャープ株式会社の型名ＧＭ５ＢＷ９７３３０Ａで、同一仕様のＬＥＤが３個実装された３チップ入り表面実装型白色ＬＥＤを用いる。なお、該ＬＥＤの特性は、順方向電流ＩＦ＝２０ｍＡのとき、順方向電圧ＶＦ＝３．２Ｖ（ＴＹＰ．）である。また、３チップ入り表面実装型白色ＬＥＤの最大定格は９０ｍＡである。
【００１４】
また、ＬＥＤ回路１０を構成する各ＬＥＤバーにおいて、電流保護抵抗３１及び電流保護抵抗３２を設けることにより、ＬＥＤ２１乃至ＬＥＤ２６の各ＬＥＤが順方向電流ＩＦ及び順方向電圧ＶＦに係る所定値を超えないようにしている。また、紫外線に起因して発生する逆起電力を吸収する図示せぬツェナーダイオードを、各ＬＥＤに並列に接続することにより、各ＬＥＤの破壊を防止する構成としても良い。また、各ＬＥＤバーに設けられたＬＥＤ２６のアノード側には、駆動電力端子口４１が接続されている。同様に、各ＬＥＤバーに設けられた電流保護抵抗３１の下端側には、駆動電力端子口４２が接続されている。同様に、ＬＥＤバー１１に設けられたＬＥＤ２１のカソード側であって電流保護抵抗３１の上端側にのみ、電流検出端子口４３が接続されている。上述したＬＥＤ回路１０は、図２を参照しながら後述するＬＥＤ制御回路５０により制御を行い、各ＬＥＤバーに設けられた複数のＬＥＤを駆動させる。
【００１５】
次に、ＬＥＤ照明装置８０に設けられたＬＥＤの制御について、図２を参照しながら具体的に説明する。なお、図２はＬＥＤ照明装置８０に設けられたＬＥＤの制御に係るＬＥＤ制御回路５０である。
【００１６】
ＬＥＤ制御回路５０は、駆動電力供給部６０及び過電流等監視部７０から成る。また、駆動電力供給部６０は、定電圧回路６１及び定電流回路６２から構成されている。同様に、過電流等監視部７０は、コンパレータ７１、抵抗７２、抵抗７３、電源７４、アース７５、及びアース７６から構成されている。以下、ＬＥＤ制御回路５０を構成する各構成部材について説明する。
【００１７】
ＬＥＤ制御回路５０に設けられた駆動電力供給部６０は、前述したＬＥＤ回路１０に対して所定の電流電圧値の電力を供給する。この様な駆動電力供給部６０において、定電圧回路（ＣＶＣ：Ｃｏｎｓｔａｎｔ  Ｖｏｌｔａｇｅ  Ｃｉｒｃｕｉｔ）６１は、所定の電圧値の電力を生成する。具体的には、図１に示すＬＥＤ回路１０に配設しているＬＥＤは、順方向電流ＩＦ＝２０ｍＡのとき順方向電圧ＶＦ＝３．２Ｖ（ＴＹＰ．）の特性を有し、且つ各ＬＥＤバーにおいて該ＬＥＤを直列に６個接続して発光させることから、定電圧回路６１により例えば２４Ｖの電圧値の電力を生成する。
【００１８】
また、ＬＥＤ制御回路５０に設けられた駆動電力供給部６０において、定電流回路（ＣＣＣ：Ｃｏｎｓｔａｎｔ  Ｃｕｒｒｅｎｔ  Ｃｉｒｃｕｉｔ）６２は、定電圧回路６１から所定の電流値の電力を生成する。ここで、３チップから構成されるＬＥＤの各チップには、それぞれ駆動電流Ｉｏｐ＝１５ｍＡを印加する。したがって、各ＬＥＤには、それぞれ駆動電流Ｉｏｐ＝４５ｍＡを印加する。さらに、図１に示すＬＥＤ回路１０では、駆動電流Ｉｏｐ＝４５ｍＡを要するＬＥＤバーを並列に５個接続して発光させる。このため、定電流回路６２により、例えば４５ｍＡに５を掛けた２２５ｍＡの電流値の電力を生成する。なお、定電流回路６２は駆動電力端子口４１に接続され、且つ駆動電力端子口４２はアース５１に接続される。
【００１９】
さらに、ＬＥＤ制御回路５０に設けられた過電流等監視部７０は、前述したＬＥＤバー１１に印加される電流値を監視する。具体的には、過電流等監視部７０は、ＬＥＤバー１１に印加される電流値が変動した場合に、所定の条件に基づいて各ＬＥＤバーへの電流供給値を下げるか、又は各ＬＥＤバーへの電流供給を停止するように定電流回路６２に対して指令を出す。この様な過電流等監視部７０において、電流検出端子口４３がコンパレータ７１の＋端子に接続され、且つコンパレータ７１の−端子が抵抗７３を経てアース７６に接続されている。また、コンパレータ７１には、電源７４とアース７５がそれぞれ接続されている。この様な構成により、過電流等監視部７０は、ＬＥＤバー１１に設けられたＬＥＤ２１のカソード側であって電流保護抵抗３１の上端側の電位値を、コンパレータ７１の＋端子又は−端子に入力された電圧の電位値と比較することにより監視する。上述したＬＥＤ制御回路５０は、図３を参照しながら後述する所定の制御に基づいて、各ＬＥＤバーに設けられた複数のＬＥＤを一定電流により駆動させ、又は各ＬＥＤバーに設けられた複数のＬＥＤの駆動を停止させる。
【００２０】
次に、ＬＥＤ照明装置８０に設けられたＬＥＤに不具合が生じた場合の制御、すなわち、本願考案の特徴である過電流防止回路に基づく各ＬＥＤバーの制御について、図３を参照しながら具体的に説明する。なお、図３はＬＥＤ照明装置８０に設けられたＬＥＤに不具合が生じた場合の制御に係る回路図であり、図１を参照しながら前述したＬＥＤ回路１０、及び図２を参照しながら前述したＬＥＤ制御回路５０から成る。
【００２１】
過電流防止回路は、ＬＥＤ制御回路５０の過電流等監視部７０に相当する。また、過電流等監視部７０は、コンパレータ検出回路及びＡ／Ｄ変換検出回路から成る。この様な過電流等監視部７０は、図３に示すように、並列にｎ個接続されたＬＥＤバーの内、ＬＥＤバー１１に設けられたＬＥＤ２１のカソード側であって電流保護抵抗３１の上端側の電位を監視する。また、過電流等監視部７０は、監視している該電位に基づく電流量の変動に対して、予め定めた所定の電圧値に基づき、各ＬＥＤバーへの電流供給値を下げるか、又は各ＬＥＤバーへの電流供給を停止するように定電流回路６２に対して指令を出す。
【００２２】
以下、過電流防止回路による各ＬＥＤバーに対する駆動電流の供給に係る制御について、ＬＥＤバー１１に配設されたＬＥＤが断線又は短絡した場合と、ＬＥＤバー１２乃至ＬＥＤバーｎのいずれか１個以上のＬＥＤバーに配設されたＬＥＤが断線した場合に場合分けして、具体的に説明する。まず、ＬＥＤバー１１に配設されたＬＥＤ２１乃至ＬＥＤ２６のいずれか１個以上のＬＥＤに不具合が生じて断線した場合には、電流検出端子口４３に接続された監視点Ｓ１には電流が流れないことから監視点Ｓ１での電位Ｖｓは０Ｖ付近となる。また、ＬＥＤバー１１に配設されたＬＥＤ２１乃至ＬＥＤ２６のいずれか１個以上のＬＥＤに不具合が生じて短絡した場合には、電流検出端子口４３に接続された監視点Ｓ１での電流は異常に上昇することから監視点Ｓ１での電位Ｖｓは１Ｖ以上となる。ここで、電流保護抵抗３１及び電流保護抵抗３２に、例えば電流４５ｍＡで電圧１．０Ｖの仕様の抵抗素子を用いると、抵抗値は１．０Ｖを４５ｍＡで割ることにより約２２Ωとなる。
【００２３】
過電流防止回路によるＬＥＤバー１１に対する監視制御に関し、ＬＥＤバー１１が正常に駆動している場合には監視点Ｓ１での電位Ｖｓが１Ｖ程度となり、ＬＥＤバー１１が断線した場合には監視点Ｓ１での電位Ｖｓが０Ｖ付近となる。そこで、電流保護抵抗３１に掛かる電圧をコンパレータ７１等から構成される過電流等監視部７０で監視することにより、各ＬＥＤバーへの電流供給値を下げるか、又は各ＬＥＤバーに対する電流の供給を停止するように定電流回路６２に対して指令を出す。
【００２４】
次に、過電流防止回路によるＬＥＤバー１２乃至ＬＥＤバー１５に対する監視制御に関し、断線したＬＥＤバーの個数が増える毎に監視点Ｓ１での電位Ｖｓが上昇し、且つ断線していない各ＬＥＤバーに流れる駆動電流が上昇する構成について、式１を参照しながら具体的に説明する。なお、式１に断線していない各ＬＥＤバーに流れる駆動電流Ｉの計算式を示す。また、式１中のＩｏｐは各ＬＥＤバーを駆動させるための駆動電流であり、図３に示すＬＥＤ回路１０に設けられているＬＥＤではＩｏｐ＝４５ｍＡである。同様に、式１中のｎはＬＥＤバーの総数であり、図３に示すＬＥＤ回路１０では５個である。同様に、式１中のｅは断線したＬＥＤバーの総数である。
【００２５】
【数１】
0003156000.tif 000003
【００２６】
具体的には、過電流防止回路によるＬＥＤバー１２乃至ＬＥＤバー１５に対する監視制御に関し、ＬＥＤバー１２乃至ＬＥＤバー１５の内、１個のＬＥＤバーが断線すればＩ＝５６．３ｍＡとなる。この場合の監視点Ｓ１での電位Ｖｓは電流保護抵抗３１の抵抗値２２ΩにＩ＝５６．３ｍＡを掛けて１．２４Ｖとなる。同様に、ＬＥＤバーが２個及び３個断線した場合についても、式１に基づいて計算する。ＬＥＤバー１２乃至ＬＥＤバー１５の内、２個のＬＥＤバーが断線すればＩ＝７５．０ｍＡとなり、監視点Ｓ１での電位Ｖｓは１．６５Ｖとなる。また、ＬＥＤバー１２乃至ＬＥＤバー１５の内、３個のＬＥＤバーが断線すればＩ＝１１３ｍＡとなり、監視点Ｓ１での電位Ｖｓは２．４９Ｖとなる。なお、ＬＥＤの最大定格が９０ｍＡであることから、過電流等監視部７０から定電流回路６２に対して、各ＬＥＤバーへの電流供給値を下げるか、又は各ＬＥＤバーへの電流供給を停止するように指令を出す。
【００２７】
次に、ＬＥＤ照明装置８０の構成について、図４を参照しながら具体的に説明する。なお、図４はＬＥＤ照明装置８０を示す模式図である。
【００２８】
ＬＥＤ照明装置８０は、ＬＥＤ実装基板８１、拡散円筒板８２、及びソケット８３から構成される。以下、ＬＥＤ照明装置８０を構成する各構成部材について説明する。ＬＥＤ実装基板８１は、ＬＥＤ回路１０を配設した基板である。該基板は、例えばガラエポ基板から成り、略板状部から形成される。また、拡散円筒板８２は、拡散部材であり、例えばポリカーボネイトに拡散材フィーラーを混入した乳半板から成り、ＬＥＤ基板８１を覆うように略円筒形状部から形成される。また、ソケット８３は、外部から電力の供給を受ける部材であり、例えば硬質プラスチックから成り、略円筒形状部から形成される。この様なソケット８３は、拡散円筒板８２の一端に設けられ、ＬＥＤ実装基板８１に配設された複数のＬＥＤを一定電流により駆動させるための端子を備えている。具体的には、駆動電力端子８３ＡはＬＥＤ回路１０の駆動電力端子口４１に接続され、駆動電力端子８３ＢはＬＥＤ回路１０の駆動電力端子口４２に接続され、且つ電流検出端子８３ＣはＬＥＤ回路１０の電流検出端子口４３に接続される。この様なＬＥＤ照明装置８０は、例えば卓上型の電気スタンドや高照度の懐中電灯等として構成する。
【００２９】
以上、過電流防止回路を設けた例えば卓上型の電気スタンドや高照度の懐中電灯等のＬＥＤ照明装置８０によれば、複数のＬＥＤバーの内の幾つかのＬＥＤバーが不良となり断線した場合に、該断線をＬＥＤ回路１０のＬＥＤバー１１に設けられた監視点Ｓ１での電流値を監視点Ｓ１での電位値に基づいて検出することにより、各ＬＥＤへの電流供給値を下げるか、又は各ＬＥＤへの電流供給を停止することから、ＬＥＤ照明装置に配設された各ＬＥＤに過大な電流が印加されることを未然に防げ、各ＬＥＤの照度を一定に保ち、且つ各ＬＥＤでの発熱を抑えることができる。
【００３０】
［第２の実施形態］
次に、第２の実施形態のＬＥＤ回路１００及び該ＬＥＤ回路１００を配設したＬＥＤ照明装置１１０について、図５及び図６を参照しながら具体的に説明する。なお、図５はＬＥＤ照明装置１１０に設けられたＬＥＤの配置に係るＬＥＤ回路１００であり、図６はＬＥＤ照明装置１１０を示す模式図である。
【００３１】
ここで、第２の実施形態のＬＥＤ照明装置１１０については、例えば施設の天井に設けられる１灯タイプで２０形相当の蛍光灯ランプの光源をＬＥＤに置き換えて構成するＬＥＤ照明装置としていることに特徴を有しており、それ以外のＬＥＤ照明装置１１０に係る構成は、第１の実施形態で述べたＬＥＤ照明装置８０の構成と同様である。そこで、第２の実施形態のＬＥＤ照明装置１１０においては、第１の実施形態のＬＥＤ照明装置８０と異なる構成を中心にして具体的に説明する。
【００３２】
ＬＥＤ回路１００は、図５に示すように、複数のＬＥＤ及び電流保護抵抗を直列に設けたＬＥＤバーを、並列に複数個接続することにより構成される。また、図５においては、一例として、６個のＬＥＤと２個の電流保護抵抗から成るＬＥＤバーが、ＬＥＤバー１１からＬＥＤバーｍまで並列にｍ個接続されている。なお、図５中では、同様の構成部材により構成される１０個のＬＥＤバーを記している。したがって、ＬＥＤバー１１からＬＥＤバー２０まで並列に接続されている。また、各ＬＥＤバーに設けられたＬＥＤ２６のアノード側には、整流用ブリッジダイオード１０４Ａを経て駆動電力端子口１０１Ａが接続され、且つ整流用ブリッジダイオード１０４Ｂを経て駆動電力端子口１０１Ｂが接続されている。同様に、各ＬＥＤバーに設けられた電流保護抵抗３１の下端側には、整流用ブリッジダイオード１０４Ａを経て駆動電力端子口１０２Ａが接続され、且つ整流用ブリッジダイオード１０４Ｂを経て駆動電力端子口１０２Ｂが接続されている。同様に、ＬＥＤバー１１に設けられたＬＥＤ２１のカソード側であって電流保護抵抗３１の上端側にのみ、電流検出端子口１０３が接続されている。
【００３３】
上述したＬＥＤ回路１００は、図２を参照しながら前述したＬＥＤ制御回路５０により制御を行い、各ＬＥＤバーに設けられた複数のＬＥＤを駆動させる。但し、図５に示すＬＥＤ回路１０では、駆動電流Ｉｏｐ＝４５ｍＡを要するＬＥＤバーを並列に１０個接続して駆動させる。このため、図２に示す定電流回路６２により、例えば４５ｍＡに１０を掛けた４５０ｍＡの電流値の電力を生成して、ＬＥＤ回路１００に供給する。
【００３４】
次に、ＬＥＤ照明装置８０に設けられたＬＥＤに不具合が生じた場合の制御、すなわち、本願考案の特徴である過電流防止回路に基づくＬＥＤ回路１０の制御について、図３及び式１を参照しながら具体的に説明する。但し、第１の実施形態での構成と異なる部分を中心にして説明する。
【００３５】
過電流防止回路によるＬＥＤバー１２乃至ＬＥＤバー２０に対する監視制御に関し、断線するＬＥＤバーの個数が増える毎に監視点Ｓ１での電位Ｖｓが上昇し、且つ断線していない各ＬＥＤバーに流れる駆動電流が上昇する。以下、式１を参照しながら具体的に説明する。また、式１中のＩｏｐは各ＬＥＤバーを駆動させるための駆動電流であり、図５に示すＬＥＤ回路１００に設けられているＬＥＤではＩｏｐ＝４５ｍＡである。同様に、式１中のｎはＬＥＤバーの総数であり、図５に示すＬＥＤ回路１００では１０個に相当する。同様に、式１中のｅは断線したＬＥＤバーの総数である。
【００３６】
具体的には、過電流防止回路によるＬＥＤバー１２乃至ＬＥＤバー２０に対する監視制御に関し、ＬＥＤバー１２乃至ＬＥＤバー２０の内、１個のＬＥＤバーが断線すればＩ＝５０．０ｍＡとなる。この場合の監視点Ｓ１での電位Ｖｓは電流保護抵抗３１の抵抗値２２ΩにＩ＝５０．０ｍＡを掛けて１．１０Ｖとなる。同様に、ＬＥＤバーが２個乃至４個断線した場合についても、式１に基づいて計算する。ＬＥＤバー１２乃至ＬＥＤバー２０の内、２個のＬＥＤバーが断線すればＩ＝５６．３ｍＡとなり、監視点Ｓ１での電位Ｖｓは１．２４Ｖとなる。また、ＬＥＤバー１２乃至ＬＥＤバー２０の内、３個のＬＥＤバーが断線すればＩ＝６４．３ｍＡとなり、監視点Ｓ１での電位Ｖｓは１．４１Ｖとなる。同様に、ＬＥＤバー１２乃至ＬＥＤバー２０の内、４個のＬＥＤバーが断線すればＩ＝７５．０ｍＡとなり、監視点Ｓ１での電位Ｖｓは１．６５Ｖとなる。なお、ＬＥＤの最大定格が９０ｍＡであることから、過電流等監視部７０から定電流回路６２に対して、各ＬＥＤバーへの電流供給値を下げるか、又は各ＬＥＤバーへの電流供給を停止するように指令を出す。
【００３７】
次に、ＬＥＤ照明装置１１０の構成について、図６を参照しながら具体的に説明する。なお、図６はＬＥＤ照明装置１１０を示す模式図である。
【００３８】
ＬＥＤ照明装置１１０は、ＬＥＤ実装基板１１１、拡散円筒板１１２、及びソケット１１３から構成される。この様なＬＥＤ照明装置１１０の各構成部材は、ＬＥＤ照明装置８０の各構成部材と基本的に同様の仕様である。但し、ソケット１１３は、拡散円筒板１１２の両端に１個ずつ設けられている。また、ＬＥＤ照明装置１１０の外形寸法等は、従来の蛍光灯ランプと同様とする。この様なＬＥＤ照明装置１１０は、例えば施設の天井に設けられる１灯タイプの蛍光灯ランプの光源をＬＥＤに置き換えて構成するＬＥＤ照明装置に用いる。
【００３９】
以上、第２の実施形態に係る例えば施設の天井に設けられる１灯タイプで２０形相当の蛍光灯ランプの光源をＬＥＤに置き換えて構成するＬＥＤ照明装置１１０においても、第１の実施形態に係るＬＥＤ照明装置８０と同様に、複数のＬＥＤバーの内の幾つかのＬＥＤバーが不良となり断線した場合に、該断線をＬＥＤ回路１００のＬＥＤバー１１に設けられた監視点Ｓ１での電流値を監視点Ｓ１での電位値に基づいて検出することにより、各ＬＥＤへの電流供給値を下げるか、又は各ＬＥＤへの電流供給を停止することから、ＬＥＤ照明装置に配設された各ＬＥＤに過大な電流が印加されることを未然に防げ、各ＬＥＤの照度を一定に保ち、且つ各ＬＥＤでの発熱を抑えることができる。
【００４０】
［第３の実施形態］
次に、第３の実施形態のＬＥＤ回路１２０について、図７を参照しながら具体的に説明する。なお、図７は図示せぬＬＥＤ照明装置に設けられたＬＥＤの配置に係るＬＥＤ回路１２０である。
【００４１】
ここで、第３の実施形態の図示せぬＬＥＤ照明装置に設けられたＬＥＤ回路１２０は、例えば施設の天井に設けられる並列に接続された２灯タイプの蛍光灯ランプの光源をＬＥＤに置き換えて構成するＬＥＤ照明装置に設けられることに特徴を有しており、それ以外のＬＥＤ回路１２０に係る構成は、第２の実施形態で述べたＬＥＤ照明装置１１０に配設されたＬＥＤ回路１００の構成と同様である。そこで、第３の実施形態のＬＥＤ回路１２０においては、第２の実施形態のＬＥＤ回路１００と異なる構成を中心にして具体的に説明する。
【００４２】
ＬＥＤ回路１２０は、図７に示すように、ＬＥＤ回路１００を２個並列に設けた構成である。したがって、ＬＥＤ回路１２０内に設けられた各構成部材の仕様は、図５に示すＬＥＤ回路１００内に設けられた各構成部材の仕様と同様である。なお、２個並列に接続されたＬＥＤ回路１００の内、１個のＬＥＤ回路１００のＬＥＤバー１１に設けられたＬＥＤ２１のカソード側であって電流保護抵抗３１の上端側にのみ、電流検出端子口１０３が接続されている。上述したＬＥＤ回路１２０は、図２を参照しながら前述したＬＥＤ制御回路５０により制御を行い、各ＬＥＤバーに設けられた複数のＬＥＤを駆動させる。この様なＬＥＤ回路１２０は例えば施設の天井に設けられる並列に接続された２灯タイプの蛍光灯ランプの光源をＬＥＤに置き換えて構成するＬＥＤ照明装置の内部に配設して用いる。
【００４３】
以上、第３の実施形態に係る例えば施設の天井に設けられる並列に接続された２灯タイプの蛍光灯ランプの光源をＬＥＤに置き換えて構成するＬＥＤ照明装置においても、第１の実施形態に係るＬＥＤ照明装置８０、及び第２の実施形態に係るＬＥＤ照明装置１１０と同様に、複数のＬＥＤバーの内の幾つかのＬＥＤバーが不良となり断線した場合に、該断線をＬＥＤ回路１２０のＬＥＤバー１１に設けられた監視点Ｓ１での電流値を監視点Ｓ１での電位値に基づいて検出することにより、各ＬＥＤへの電流供給値を下げるか、又は各ＬＥＤへの電流供給を停止することから、ＬＥＤ照明装置に配設された各ＬＥＤに過大な電流が印加されることを未然に防げ、各ＬＥＤの照度を一定に保ち、且つ各ＬＥＤでの発熱を抑えることができる。さらに、並列に接続された２個のＬＥＤ照明装置の内、１個のＬＥＤ照明装置が脱落、落下、又は誤って取り外されても、残りの１個のＬＥＤ照明装置は保護される。
【００４４】
なお、上述した第１乃至第３の実施形態においては、過電流防止回路であるＬＥＤ制御回路５０の過電流等監視部７０をＬＥＤ照明装置に適用する構成として説明したが、このような形態に限定されることはなく、本考案の要旨を逸脱しない範囲において適宜変更可能である。具体的には、過電流防止回路を例えば紫外線ＬＥＤを配設したＬＥＤ殺菌用装置に設ける構成としても良い。また、ＬＥＤ回路に配設するＬＥＤは、３チップ入りの白色のＬＥＤに限定されるものではなく、例えば１チップ入りの白色のＬＥＤとしても良い。また、ＬＥＤ回路に配設するＬＥＤは、白色のＬＥＤに限定されるものではなく、例えば赤色、青色、及び緑色の中の一色からなるＬＥＤ、若しくはそれら各色のＬＥＤと白色のＬＥＤの組み合わせとしても良い。
【符号の説明】
【００４５】
１０  ＬＥＤ回路
１１，１２，ｎ−１，ｎ，ｍ−１，ｍ  ＬＥＤバー
２１，２２，２３，２４，２５，２６  ＬＥＤ
３１，３２  電流保護抵抗
４１  駆動電力端子口
４２  駆動電力端子口
４３  電流検出端子口
５０  ＬＥＤ制御回路
５１  アース
６０  駆動電力供給部
６１  定電圧回路
６２  定電流回路
６３  アース
７０  過電流等監視部
７１  コンパレータ
７２  抵抗
７３  抵抗
７４  電源
７５，７６  アース
８０  ＬＥＤ照明装置
８１  ＬＥＤ実装基板
８２  拡散円筒板
８３  ソケット
８３Ａ  側駆動電力端子
８３Ｂ  側駆動電力端子
８３Ｃ  電流検出端子
１００  ＬＥＤ回路
１０１Ａ，１０１Ｂ  駆動電力端子口
１０２Ａ，１０２Ｂ  駆動電力端子口
１０３  電流検出端子口
１０４Ａ，１０４Ｂ  整流用ブリッジダイオード
１１０  ＬＥＤ照明装置
１１１  ＬＥＤ実装基板
１１２  拡散板
１１３  ソケット
１１３Ａ  駆動電力端子
１１３Ｂ  駆動電力端子
１１３Ｃ  電流検出端子
１２０  ＬＥＤ回路
【図１】
0003156000.tif 000004
【図２】
0003156000.tif 000005
【図３】
0003156000.tif 000006
【図４】
0003156000.tif 000007
【図５】
0003156000.tif 000008
【図６】
0003156000.tif 000009
【図７】
0003156000.tif 000010